(57)【要約】【課題】回収対象のＶＯＣに不純物が含まれる場合であっても、メンテナンス費用を抑制しつつ回収機能を持続させることのできる技術を提供することを課題とする。【解決手段】本発明は、回収対象のＶＯＣを吸着回収する吸着回収部と、吸着回収部での吸着回収の前処理に使用される吸着材であって、吸着回収部の再生温度よりも高い温度において耐性を有し、回収対象のＶＯＣに混入する不純物を吸着する不純物吸着材と、を備える、ＶＯＣ回収装置である。【選択図】図１
2019177353.tif 000002
【特許請求の範囲】
【請求項１】
回収対象のＶＯＣを吸着回収する吸着回収部と、
前記吸着回収部での吸着回収の前処理に使用される吸着材であって、前記吸着回収部の再生温度よりも高い温度において耐性を有し、回収対象のＶＯＣに混入する不純物を吸着する不純物吸着材と、を備える、
ＶＯＣ回収装置。
【請求項２】
前記不純物吸着材を加熱する加熱部をさらに備える、
請求項１に記載のＶＯＣ回収装置。
【請求項３】
前記加熱部は、前記不純物吸着材を３００度以上に加熱する、
請求項２に記載のＶＯＣ回収装置。
【請求項４】
前記不純物吸着材は、ＶＯＣよりも不純物を多く吸着させる吸着性能を備える、
請求項１から３のうち何れか１項に記載のＶＯＣ回収装置。
【請求項５】
回収対象のＶＯＣを吸着回収する吸着回収部と、
前記吸着回収部での吸着回収の前処理に使用され、回収対象のＶＯＣに混入する不純物を吸着する稚内層珪藻頁岩と、を備える、
ＶＯＣ回収装置。
【請求項６】
前記回収対象のＶＯＣを含む気体の相対湿度を６０％未満に調節する湿度調節器をさらに備える、
請求項１から５のうち何れか１項に記載のＶＯＣ回収装置。
【請求項７】
吸着回収部が回収対象のＶＯＣを吸着回収する吸着回収ステップと、
前記吸着回収ステップでの吸着回収の前処理に使用される吸着材であって、前記吸着回収部の再生温度よりも高い温度において耐性を有する不純物吸着材が、回収対象のＶＯＣに混入する不純物を吸着する不純物吸着ステップと、を備える、
ＶＯＣ回収方法。
【発明の詳細な説明】
【技術分野】
【０００１】
本発明は、ＶＯＣ回収装置及びＶＯＣ回収方法に関する。
【背景技術】
【０００２】
例えば印刷や粘着テープの製造において、溶剤を塗布して乾燥させる乾燥工程がある。当該乾燥工程において溶剤を乾燥させる場合に、溶剤から様々な揮発性有機化合物（以下、ＶＯＣという）が揮発する。揮発したＶＯＣは、燃やしたり、あるいは回収して再利用されたりする。また、ＶＯＣを回収する場合、例えば特許文献１に開示の吸着材が使用される。また、特許文献２では、沸点の高い物質を活性炭に吸着させる技術が開示されている。
【先行技術文献】
【特許文献】
【０００３】
【特許文献１】特開２０１７−０６４６１８号公報
【特許文献２】特開２０１６−１９４５０４号公報
【発明の概要】
【発明が解決しようとする課題】
【０００４】
ＶＯＣを回収ロータによって吸着回収する場合、回収ロータに吸着される物質には、
回収対象のＶＯＣだけではなく、例えば印刷に使用されるインキの成分や粘着テープに使用される粘着剤といった物質（以下、不純物という）も含まれる。
【０００５】
回収ロータに不純物が付着した場合、回収ロータの回収機能は低下する。そこで、回収機能の低下への対応として回収ロータを所定の頻度で交換することが考えられる。しかしながら、回収ロータの交換頻度が高い場合、メンテナンス費用が嵩む虞がある。
【０００６】
そこで、回収ロータを所定のタイミングで加熱し、ロータに付着した不純物を脱着・除去し、回収ロータの機能を再生する対応が考えられる。当該対応であれば、回収ロータを交換する必要はない。しかしながら、不純物の中には、例えば特許文献２に開示されるような沸点の高い物質も含まれる場合があり、加熱温度を高温に設定する必要があることも考えられる。すなわち、当該対応でもエネルギーコストを要し、メンテナンス費用が嵩む虞がある。そこで、特許文献２に開示されるように、回収ロータとは別に活性炭を設け、不純物を吸着回収することが考えられる。しかしながら、特許文献２では、活性炭は交換されることが前提とされているため、活性炭の交換頻度が高い場合、メンテナンス費用が嵩む虞がある。また、メンテナンス費用を抑制するべく、活性炭を加熱して吸着した不純物を脱着させ、活性炭を再生することが考えられるが、活性炭を加熱する場合、活性炭が燃焼する虞がある。すなわち、回収ロータとは別に活性炭を設け、不純物を吸着回収する場合であっても、メンテナンス費用を抑制することは困難である。
【０００７】
そこで、本願は、回収対象のＶＯＣに不純物が含まれる場合であっても、メンテナンス費用を抑制しつつ回収機能を持続させることのできる技術を提供することを課題とする。
【課題を解決するための手段】
【０００８】
上記課題を解決するため、本発明は、ＶＯＣを吸着回収する前に、ＶＯＣに含まれる不純物を吸着除去することとした。
【０００９】
詳細には、本発明は、回収対象のＶＯＣを吸着回収する吸着回収部と、吸着回収部での
吸着回収の前処理に使用される吸着材であって、吸着回収部の再生温度よりも高い温度において耐性を有し、回収対象のＶＯＣに混入する不純物を吸着する不純物吸着材と、を備える、ＶＯＣ回収装置である。
【００１０】
ここで、不純物とは、回収対象のＶＯＣ以外の物質であって、吸着回収部を再生する場合に、吸着回収部の再生温度では吸着回収部から脱着されない物質のことである。また、不純物吸着材は、数百度程度の温度において耐熱性を有する。
【００１１】
このようなＶＯＣ回収装置であれば、吸着回収部に不純物が吸着されることは抑制される。よって、吸着回収部の回収機能は持続する。よって、吸着回収部を交換する頻度は低下し、メンテナンス費用は節減される。
【００１２】
また、吸着回収部の再生温度よりも高い温度であって、不純物吸着材から不純物が脱着される温度に不純物吸着材を加熱する場合、不純物を脱着させて不純物吸着材を再生させることができる。よって、不純物吸着材の不純物を吸着させる機能は持続する。すなわち、吸着回収部における不純物の吸着の抑制は持続し、吸着回収部の回収機能も持続する。また、不純物吸着材を交換することなく再生させるため、メンテナンス費用は節減される。
【００１３】
また、不純物吸着材を備えないＶＯＣ回収装置の場合、吸着回収部に不純物が吸着する。そして、吸着回収部から不純物を脱着させるために通常の再生温度よりも高温に吸着回収部を加熱する必要がある。このように吸着回収部を通常の再生温度よりも高温に加熱する場合、吸着回収部に吸着したＶＯＣ自体も化学的に分解されてしまい、ＶＯＣの回収に影響が及ぶ虞がある。しかしながら、当該ＶＯＣ回収装置であれば、吸着回収部を通常の再生温度よりも高温に加熱する必要はないため、ＶＯＣ自体が化学的に分解される虞はなく、ＶＯＣの回収に影響が及ぶ虞もない。
【００１４】
また、ＶＯＣ回収装置は、不純物吸着材を加熱する加熱部をさらに備えてもよい。
【００１５】
このようなＶＯＣ回収装置であれば、吸着回収部の再生温度よりも高い温度であって、不純物吸着材から不純物が脱着される温度に不純物吸着材を加熱する場合、不純物を脱着させて不純物吸着材を再生させることができる。よって、不純物吸着材の不純物を吸着させる機能は持続する。すなわち、吸着回収部における不純物の吸着の抑制は持続し、吸着回収部の回収機能も持続する。また、不純物吸着材を交換することなく再生させるため、メンテナンス費用は節減される。
【００１６】
また、加熱部は、不純物吸着材を３００度以上に加熱してもよい。
【００１７】
このようなＶＯＣ回収装置であれば、不純物の種類によっては、不純物の分子同士の結合が切れやすくなる。すなわち、不純物吸着材からの不純物の脱着が促進され、不純物吸着材の再生度合は高まる。
【００１８】
また、不純物吸着材は、ＶＯＣよりも不純物を多く吸着させる吸着性能を備えてもよい。
【００１９】
このようなＶＯＣ回収装置であれば、不純物吸着材は、ＶＯＣより不純物を多く吸着する。換言すれば、前処理においてＶＯＣが吸着されることは抑制され、吸着回収部におけるＶＯＣの回収量が低下することは抑制される。
【００２０】
また、回収対象のＶＯＣを吸着回収する吸着回収部と、吸着回収部での吸着回収の前処
理に使用され、回収対象のＶＯＣに混入する不純物を吸着する稚内層珪藻頁岩と、を備える、ＶＯＣ回収装置であってもよい。
【００２１】
このようなＶＯＣ回収装置であれば、吸着回収部に不純物が吸着されることは抑制される。よって、吸着回収部の回収機能は持続する。また、吸着回収部を交換する頻度は低下し、メンテナンス費用は節減される。
【００２２】
また、このようなＶＯＣ回収装置であれば、吸着回収部の再生温度よりも高い温度であって、稚内層珪藻頁岩から不純物が脱着される温度に稚内層珪藻頁岩を加熱する場合、不純物を脱着させて稚内層珪藻頁岩を再生させることができる。よって、稚内層珪藻頁岩の不純物を吸着させる機能は持続する。すなわち、吸着回収部における不純物の吸着の抑制は持続し、吸着回収部の回収機能も持続する。また、稚内層珪藻頁岩を交換することなく再生させるため、メンテナンス費用は節減される。
【００２３】
また、稚内層珪藻頁岩は、ＶＯＣより不純物を多く吸着する特性を有する。換言すれば、前処理においてＶＯＣが吸着されることは抑制され、吸着回収部におけるＶＯＣの回収量が低下することは抑制される。また、稚内層珪藻頁岩は安価であるため、装置にかかる費用を節減することができる。
【００２４】
また、稚内層珪藻頁岩を備えないＶＯＣ回収装置の場合、吸着回収部に不純物が吸着する。そして、吸着回収部から不純物を脱着させるために通常の再生温度よりも高温に吸着回収部を加熱する必要がある。このように吸着回収部を通常の再生温度よりも高温に加熱する場合、吸着回収部に吸着したＶＯＣ自体も化学的に分解されてしまい、ＶＯＣの回収に影響が及ぶ虞がある。しかしながら、当該ＶＯＣ回収装置であれば、吸着回収部を通常の再生温度よりも高温に加熱する必要はないため、ＶＯＣ自体が化学的に分解される虞はなく、ＶＯＣの回収に影響が及ぶ虞もない。
【００２５】
また、回収対象のＶＯＣを含む気体の相対湿度を６０％未満に調節する湿度調節器をさらに備えてもよい。上記のようなＶＯＣ回収装置であれば、不純物吸着材あるいは稚内層珪藻頁岩に水分子が吸着されることは抑制される。すなわち、不純物の吸着に影響が及ぶことは抑制される。
【００２６】
また、本発明は、方法の側面から捉えることもできる。すなわち、例えば、吸着回収部が回収対象のＶＯＣを吸着回収する吸着回収ステップと、吸着回収ステップでの吸着回収の前処理に使用される吸着材であって、吸着回収部の再生温度よりも高い温度において耐性を有する不純物吸着材が、回収対象のＶＯＣに混入する不純物を吸着する不純物吸着ステップと、を備える、ＶＯＣ回収方法であってもよい。
【発明の効果】
【００２７】
上記のＶＯＣ回収装置及びＶＯＣ回収方法は、回収対象のＶＯＣに不純物が含まれる場合であっても、メンテナンス費用を抑制しつつ回収機能を持続させることができる。
【図面の簡単な説明】
【００２８】
【図１】図１は、第一実施形態に係るＶＯＣ回収装置の概要の一例を示している。
【図２】図２は、前処理吸着部を備える場合と前処理吸着部を備えない場合の回収ロータのＶＯＣ吸着量の比較の一例を示している。
【図３】図３は、稚内層珪藻頁岩と他の不純物吸着材候補との特徴の比較の一例を示している。
【図４】図４は、不純物吸着材に吸着されるＶＯＣ吸着量と不純物吸着量の比較の一例を示している。
【図５】図５は、ＶＯＣ回収装置の動作を示すフローチャートの一例を示している。
【図６】図６は、前処理吸着部による不純物の吸着除去がある場合の回収ロータにおけるＶＯＣ吸着量の一例を示している。
【図７】図７は、第二実施形態に係るＶＯＣ回収装置の概要の一例を示している。
【図８】図８は、ＶＯＣ回収装置の動作の一例を示している。
【図９】図９は、ＶＯＣ回収装置の動作の一例を示している。
【図１０】図１０は、前処理吸着部が加熱再生される場合の回収ロータにおけるＶＯＣ吸着量の一例を示している。
【図１１】図１１は、稚内層珪藻頁岩と、他の珪藻土との水分の吸着量の比較の一例を示している。
【発明を実施するための形態】
【００２９】
以下、本発明の実施形態について説明する。以下に示す実施形態は、本発明の実施形態の一例であり、本発明の技術的範囲を以下の態様に限定するものではない。
【００３０】
＜装置構成＞
図１は、第一実施形態に係るＶＯＣ回収装置１００の概要の一例を示している。ＶＯＣ回収装置１００は、例えば印刷や粘着テープの製造の際に、有機溶剤を塗布して乾燥させる乾燥工程を実行する乾燥炉１から発生したＶＯＣを回収する。ここで、ＶＯＣとは、例えばトルエンや酢酸エチルなどの物質であって、有機溶剤を乾燥させた際に有機溶剤から揮発される揮発性の有機化合物のことをいう。
【００３１】
ＶＯＣ回収装置１００は、乾燥炉１において揮発したＶＯＣを回収する回収ロータ２を備える。ここで、回収ロータ２は、本発明の「吸着回収部」の一例である。また、ＶＯＣ回収装置１００は、乾燥炉１と回収ロータ２とを接続する配管を備える。当該配管は、乾燥炉１と回収ロータ２とを含む循環経路を形成している。
【００３２】
また、ＶＯＣ回収装置１００は、乾燥炉１と回収ロータ２との間であって、回収ロータ２の上流側に、ＶＯＣに含まれる不純物を吸着させる前処理吸着部３を備える。不純物は、例えば、アクリル酸２エチルヘキシルやアクリル酸ブチルといった物質であり、乾燥炉１における有機溶剤に混ざっている物質である。また、前処理吸着部３は、アクリル酸２エチルヘキシルやアクリル酸ブチルといった不純物を吸着する稚内層珪藻頁岩を含む。ここで、稚内層珪藻頁岩は、本発明の「不純物吸着材」の一例である。
【００３３】
回収ロータ２は、ロータ表面にＶＯＣを吸着させる吸着ゾーン４を備える。また、回収ロータ２は、ロータ表面に付着したＶＯＣを脱着させる脱着ゾーン５を備える。また、ＶＯＣ回収装置１００は、脱着ゾーン５の上流に、脱着ゾーン５へ加熱された気体を送り、ロータ表面を再生させる加熱器６を備える。加熱器６は、ＶＯＣを排出する生産設備の余熱を熱源としてもよいし、電気ヒータの熱を熱源としてもよい。
【００３４】
また、ＶＯＣ回収装置１００は、脱着ゾーン５の下流に、ドレンパンを有する冷却器７を備える。また、ＶＯＣ回収装置１００は、ドレンパンと接続し、凝縮された液体を一時的に貯める回収容器８を備える。また、回収ロータ２は、冷却器７によって冷却された冷却気体が流入し、ロータ表面を冷却する冷却ゾーン９を備える。
【００３５】
ここで、加熱器６は、冷却ゾーン９の下流に位置している。すなわち、ＶＯＣ回収装置１００には、加熱器６→脱着ゾーン５→冷却器７→冷却ゾーン９→加熱器６という循環経路が形成される。
【００３６】
図２は、前処理吸着部３を備える場合の回収ロータ２のＶＯＣ（例えば酢酸エチル）吸
着量を、前処理吸着部３を備えない場合の回収ロータ２のＶＯＣ吸着量と比較した一例を示す。また、図２は、前処理吸着部３に含まれる不純物吸着材を、例えば活性炭、ゼオライト１３Ｘ、ハイシリカゼオライト１０００、稚内層珪藻頁岩として酢酸エチルの吸着量を比較している。図２に示すように、前処理吸着部３を備える場合、前処理吸着部３を備えない場合よりも回収ロータ２のＶＯＣ吸着量は多い。
【００３７】
ところで、本実施形態の不純物吸着材に使用される稚内層珪藻頁岩は、主に北海道天北地方で採掘される頁岩である。図３は、稚内層珪藻頁岩と他の不純物吸着材候補との特徴の比較の一例を示す。図３に示すように、稚内層珪藻頁岩は、細孔径が４〜２０ｎｍ程度の多孔質材料である。また、稚内層珪藻頁岩は、ゼオライト１３Ｘやハイシリカゼオライト１０００と比較して細孔径が大きく、後述のアクリル酸２エチルヘキシル等の分子サイズが大きい物質の吸着性能に優れる。
【００３８】
また、稚内層珪藻頁岩は、細孔が結晶構造由来のため、細孔構造が破壊されにくく化学的に安定しており、耐熱性を有する。また、図３に示すように、稚内層珪藻頁岩は、他の不純物吸着材候補と比較し、安価である。
【００３９】
図４は、不純物吸着材に吸着されるＶＯＣ吸着量と不純物吸着量の比較の一例を示す。ただし、ＶＯＣの一例を酢酸エチルとし、不純物の一例をアクリル酸２エチルヘキシルとして比較を行った。図４に示すように、稚内層珪藻頁岩は、回収対象のＶＯＣよりも不純物を多く吸着する性質が顕著であることが分かる。
【００４０】
＜動作例＞
次に、ＶＯＣ回収装置１００の動作について説明を行う。図５は、ＶＯＣ回収装置１００の動作を示すフローチャートの一例を示す。
【００４１】
（ステップＳ１０１）
乾燥炉１において有機溶剤を乾燥する乾燥工程が実行される。そして、有機溶剤から例えばトルエンや酢酸エチルなどのＶＯＣが揮発する。また、有機溶剤からは、例えばアクリル酸２エチルヘキシル等の不純物が揮発する。すなわち、乾燥炉１では、ＶＯＣに不純物が混合した混合気体が生成される。
【００４２】
ＶＯＣと不純物の混合気体は、前処理吸着部３を通過する。前処理吸着部３を混合気体が通過する際、前処理吸着部３の稚内層珪藻頁岩の細孔には、不純物が吸着される。すなわち、混合気体から不純物が除去される。
【００４３】
（ステップＳ１０２）
前処理吸着部３を通過したＶＯＣを含む気体は、回収ロータ２の吸着ゾーン４を通過する。そして、気体に含まれるＶＯＣは、吸着ゾーン４において回収ロータ２に吸着回収される。
【００４４】
（ステップＳ１０３）
ロータが回転し、脱着ゾーン５にＶＯＣが付着したロータ表面が送られる。また、脱着ゾーン５には、加熱器６から送られる加熱気体が流れている。加熱器６は、１７０度程度に気体を加熱している。ＶＯＣは、加熱器６からの加熱気体によってロータ表面から脱着させられ、ロータの下流に設けられた冷却器７へ流れる。
【００４５】
（ステップＳ１０４）
ＶＯＣは、冷却器７において凝縮されて液体となり、ドレンパンに垂れる。そして、ＶＯＣは、回収容器８に蓄えられる。回収容器８に貯められたＶＯＣは、乾燥炉１へ送られ
、再利用される。また、冷却器７において凝縮されず、気体状態のままのＶＯＣは、冷却ゾーン９→加熱器６→脱着ゾーン５を経由して冷却器７に循環される。
【００４６】
＜作用・効果＞
上記のようなＶＯＣ回収装置１００であれば、前処理吸着部３の稚内層珪藻頁岩に不純物が吸着されるため、回収ロータ２に不純物が吸着されることは抑制される。よって、回収ロータ２のＶＯＣ回収機能は持続する。図６は、前処理吸着部３による不純物の吸着除去がある場合の、回収ロータ２におけるＶＯＣ吸着量の一例を示す。図６に示すように、前処理吸着部３がある場合は、前処理吸着部３がない場合と比較してＶＯＣ回収機能は持続していることが分かる。よって、回収ロータ２を交換する頻度は低下し、ＶＯＣ回収装置１００のメンテナンス費用は節減される。
【００４７】
また、図４に示すように、稚内層珪藻頁岩は、回収対象のＶＯＣよりも不純物を多く吸着する性質を有する。従って、前処理吸着部３においてＶＯＣが吸着回収されることは抑制され、回収ロータ２においてＶＯＣの回収量が低下することは抑制される。
【００４８】
また、前処理吸着部３を備えないＶＯＣ回収装置の場合、回収ロータ２に不純物が吸着する。そして、回収ロータ２から不純物を脱着させるために通常の再生温度よりも高温に回収ロータ２を加熱する必要がある。このように回収ロータ２を高温に加熱する場合、回収ロータ２に吸着したＶＯＣ自体も化学的に分解されてしまい、ＶＯＣの回収に影響が及ぶ虞がある。しかしながら、上記のＶＯＣ回収装置１００であれば、回収ロータ２を高温に加熱する必要はないため、ＶＯＣ自体が化学的に分解される虞はなく、ＶＯＣの回収に影響が及ぶ虞もない。
【００４９】
また、稚内層珪藻頁岩は安価であるため、装置にかかる費用を節減することができる。
【００５０】
以下、本発明の第二実施形態について説明する。以下に示す第二実施形態は、本発明の実施形態の一例であり、本発明の技術的範囲を以下の態様に限定するものではない。
【００５１】
＜装置構成＞
図７は、第二実施形態に係るＶＯＣ回収装置１００Ａの概要の一例を示している。図７に示すように、ＶＯＣ回収装置１００Ａは、２つの前処理吸着部３Ａ、３Ｂを備える。前処理吸着部３Ａ、３Ｂは、それぞれ稚内層珪藻頁岩を含む。また、ＶＯＣ回収装置１００Ａは、乾燥炉１から前処理吸着部３Ａ、３Ｂへ至る経路の途中にモータダンパ（以下、ＭＤという）１０Ａ、１０Ｂを備える。また、ＶＯＣ回収装置１００Ａは、前処理吸着部３Ａ、３Ｂから回収ロータ２へ至る経路の途中にＭＤ１０Ｃ、ＭＤ１０Ｄを備える。
【００５２】
また、ＶＯＣ回収装置１００Ａは、前処理吸着部３Ａ又は３Ｂへ加熱された気体を送り込む前処理加熱器１１及びファン１２を備える。ここで、前処理加熱器１１は、本発明の「加熱部」の一例である。また、前処理加熱器１１及びファン１２と、前処理吸着部３Ａ及び３Ｂとの間には、加熱気体が循環する循環経路が形成され、その循環経路の途中にＭＤ１３Ａ、１３Ｂ、１３Ｃ、１３Ｄが設けられる。
【００５３】
また、上記の循環経路には、外気が取り入れられ、その外気の流入量の調節を行うＭＤ１３Ｅを備える。また、上記の加熱気体の一部は、系外における燃焼処理設備に送られ、系外の燃焼処理設備に送られる加熱気体の量を調節するＭＤ１３Ｆを備える。
【００５４】
＜動作例＞
次に、ＶＯＣ回収装置１００Ａの動作について説明を行う。以下に、ＶＯＣ回収装置１００Ａの動作を示すフローチャートの一例を示す。
【００５５】
（ステップＳ２０１）
まずＶＯＣ回収装置１００Ａは、ＭＤ１０Ａを開き、ＭＤ１０Ｂを閉じる。また、ＭＤ１０Ｃを開き、ＭＤ１０Ｄを閉じる。図８は、ＭＤ１０Ａ、１０Ｃが開けられ、ＭＤ１０Ｂ、１０Ｄが閉じられているＶＯＣ回収装置１００Ａを示している。また、ＭＤ１３Ａ、１３Ｃは閉じられる。当該構成により、乾燥炉１において発生したＶＯＣに不純物が混合した混合気体は、前処理吸着部３Ａを通過する。前処理吸着部３Ａの稚内層珪藻頁岩の細孔には、アクリル酸２エチルヘキシルを含む不純物が吸着される。すなわち、混合気体から不純物が除去される。そして、不純物が除去されたＶＯＣを含む気体は、回収ロータ２の吸着ゾーン４へ送られる。回収ロータ２におけるＶＯＣの回収やＶＯＣの再利用の手順は、ステップＳ１０２−ステップＳ１０４と同様である。
【００５６】
（ステップＳ２０２）
所定時間が経過した後、ＭＤ１０Ａ、１０Ｃが閉じられ、ＭＤ１０Ｂ、１０Ｄが開けられる。図９は、ＭＤ１０Ａ、１０Ｃが閉じられ、ＭＤ１０Ｂ、ＭＤ１０Ｄが開けられているＶＯＣ回収装置１００Ａを示している。すなわち、ステップＳ２０２では、不純物の吸着を行う前処理吸着部を３Ａから３Ｂへ切り替える。よって、乾燥炉１において発生したＶＯＣに不純物が混合した混合気体は、前処理吸着部３Ｂを通過する。
【００５７】
また、ステップＳ２０２では、ＭＤ１３Ａ、１３Ｃを開け、ＭＤ１３Ｂ、ＭＤ１３Ｄを閉じる。また、前処理加熱器１１およびファン１２を稼動させる。そして、前処理加熱器１１において取り込んだ外気を例えば３００度に加熱する。加熱された外気は、前処理吸着部３Ａへ送られ、前処理吸着部３Ａを加熱再生させる。よって、前処理吸着部３Ａに吸着した不純物は、加熱により脱着することとなる。
【００５８】
そして、所定時間が経過した後、ＭＤ１０Ａ、１０Ｃが再度開けられ、ＭＤ１０Ｂ、１０Ｄが再度閉じられる。また、ＭＤ１３Ａ、１３Ｃが閉じられ、ＭＤ１３Ｂ、ＭＤ１３Ｄが開けられる。このような操作により、不純物の吸着を行う前処理吸着部を３Ｂから３Ａへ切り換える。また、不純物が吸着した前処理吸着部３Ｂを加熱再生させる。
【００５９】
また、前処理吸着部３Ａ又は３Ｂにおいて脱着させられた不純物は、前処理加熱器１１及びファン１２によって前処理吸着部３Ａ又は３Ｂへ送り込まれた加熱気体に混じる。そして、加熱気体に混じった不純物は、ＭＤ１３Ｆを通過し、系外の燃焼処理設備へ送られる。そして、不純物は、系外の燃焼処理設備において燃焼処理される。
【００６０】
上記のように、ＶＯＣ回収装置１００Ａは、不純物の吸着を行う前処理吸着部を切り替える。また、一方の前処理吸着部において不純物の吸着を行っている間に、他方の前処理吸着部を加熱再生させる。また、ＶＯＣ回収装置１００Ａは前処理吸着部を２系統備えているが、前処理の系統は２つに限られず、何系統でもよい。
【００６１】
＜作用・効果＞
上記のようなＶＯＣ回収装置１００Ａであれば、前処理吸着部３Ａ、３Ｂを加熱再生しているため、前処理吸着部３Ａ、３Ｂの不純物を吸着させる機能は、持続する。すなわち、回収ロータ２における不純物の吸着の抑制は持続し、回収ロータ２のＶＯＣ回収機能は持続する。
【００６２】
図１０は、前処理吸着部が加熱再生される場合の、回収ロータ２におけるＶＯＣ吸着量の一例を示す。図１０に示すように、前処理吸着部が加熱再生される場合、加熱再生されない場合よりもＶＯＣ回収機能はさらに持続していることが確認される。
【００６３】
また、上記のようなＶＯＣ回収装置１００Ａは、回収ロータ２及び前処理吸着部３Ａ、３Ｂを交換せずに済む。よって、メンテナンス費用は節減される。
【００６４】
また、稚内層珪藻頁岩は、耐熱性を有するため、ＶＯＣ回収装置１００Ａは、回収ロータ２の再生温度（１７０度）よりも高い温度（３００度）に前処理吸着部３Ａ、３Ｂを加熱し、不純物を脱着させることができる。すなわち、ＶＯＣ回収装置１００Ａは、回収ロータ２の再生温度では脱着できない不純物であっても、予め前処理において脱着除去することができる。
【００６５】
また、前処理吸着部３Ａ、３Ｂの再生温度（３００度）は、アクリル酸２エチルヘキシルやアクリル酸ブチルといった不純物の重合が切れる温度である。よって、前処理吸着部３Ａ、３Ｂからの不純物の脱着が促進され、前処理吸着部３Ａ、３Ｂの再生度合は高まる。
【００６６】
また、前処理吸着部３Ａ、３Ｂを備えないＶＯＣ回収装置の場合、回収ロータ２に不純物が吸着する。そして、回収ロータ２から不純物を脱着させるために通常の再生温度よりも高温に回収ロータ２を加熱する必要がある。このように回収ロータ２を通常の再生温度よりも高温に加熱する場合、回収ロータ２に吸着したＶＯＣ自体も化学的に分解されてしまい、ＶＯＣの回収に影響が及ぶ虞がある。しかしながら、上記のＶＯＣ回収装置１００Ａであれば、回収ロータ２を通常の再生温度よりも高温に加熱する必要はないため、ＶＯＣ自体が化学的に分解される虞はなく、ＶＯＣの回収に影響が及ぶ虞もない。
【００６７】
また、ＶＯＣ回収装置１００、１００Ａは、前処理吸着部の上流に湿度調節器を備え、前処理吸着部に流入する気体の相対湿度を調節してもよい。図１１は、稚内層珪藻頁岩と、他の珪藻土との水分の吸着量の比較の一例を示す。稚内層珪藻頁岩は、図１１に示すよう相対湿度がおおよそ６０％を超えると他の珪藻土と比較して吸着する水分子の量が急激に多くなる。よって、前処理吸着部の吸着材に稚内層珪藻頁岩を使用する場合は、当該湿度調節器によって、前処理吸着部に流入する気体の相対湿度を例えば６０％未満に調節してもよい。このようなＶＯＣ回収装置１００、１００Ａであれば、稚内層珪藻頁岩に水分子が吸着することは抑制され、細孔への不純物の吸着に影響が及ぶことは抑制される。
【００６８】
以上、本発明の好ましい実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。
【符号の説明】
【００６９】
１・・乾燥炉；２・・回収ロータ；３、３Ａ、３Ｂ・・前処理吸着部；４・・吸着ゾーン；５・・脱着ゾーン；６・・加熱器；７・・冷却器；８・・回収容器；９・・冷却ゾーン；１０Ａ、１０Ｂ、１０Ｃ、１０Ｄ、１３Ａ、１３Ｂ、１３Ｃ、１３Ｄ、１３Ｅ、１３Ｆ・・モータダンパ；１１・・前処理加熱器；１２・・ファン；１００、１００Ａ・・ＶＯＣ回収装置
【図１】
2019177353.tif 000003
【図２】
2019177353.tif 000004
【図３】
2019177353.tif 000005
【図４】
2019177353.tif 000006
【図５】
2019177353.tif 000007
【図６】
2019177353.tif 000008
【図７】
2019177353.tif 000009
【図８】
2019177353.tif 000010
【図９】
2019177353.tif 000011
【図１０】
2019177353.tif 000012
【図１１】
2019177353.tif 000013